(57)【要約】【課題】  簡易な構成によりスライド部材をスライド方向に対して垂直方向に押圧することができる押圧機構および気体封入装置を提供する。【解決手段】  押圧機構１０は、スライド部材３０と当接し、スライド部材３０のスライド方向からの力を利用して、スライド部材３０のスライド方向に対してスライド部材３０を垂直方向へ押圧するものである。押圧機構１０は、回動部材１２を含む。回動部材１２は、スライド部材３０がスライドした際に当接する当接部１２ａを含み、スライド部材３０がスライド方向に対して当接部１２ａに力を作用させると、回動部材１２が回動し、スライド部材３０のスライド方向に対して垂直方向にスライド部材３０を押圧する。スライド部材３０は、気体封入装置４０を閉鎖するための扉とすることができる。【選択図】図８
2020203020.tif 000002
【特許請求の範囲】
【請求項１】
スライド部材と当接し、前記スライド部材のスライド方向からの力を利用して、前記スライド部材のスライド方向に対して前記スライド部材を垂直方向へ押圧する押圧機構。
【請求項２】
請求項１において、
前記スライド部材は、気体封入装置を閉鎖するための扉である押圧機構。
【請求項３】
請求項１または２において、
前記押圧機構は、
回動部材を含み、
前記回動部材は、前記スライド部材がスライドした際に当接する当接部を含み、
前記スライド部材がスライド方向に対して前記当接部に力を作用させると、前記回動部材が回動し、前記スライド部材のスライド方向に対して垂直方向に前記スライド部材を押圧する、押圧機構。
【請求項４】
請求項において、
前記回動部材が前記スライド部材を押圧する位置と前記回動部材の回動軸との距離は、前記回動部材と前記当接部との接触位置と前記回動部材の回動軸との間の距離よりも短い押圧機構。
【請求項５】
請求項１〜４のいずれかに記載の押圧機構を含む気体封入装置であり、
前記気体封入装置は、人または動物が内部に入ることができる筐体と、
前記筐体に前記人または動物が出入できるように設けられた開口部とを含み、
前記スライド部材が前記開口部を閉鎖するための扉である気体封入装置。
【請求項６】
請求項５において、
前記気体封入装置に気体を供給するためのポンプを含み、
前記ポンプの出力は、２０〜３００Ｗである気体封入装置。
【発明の詳細な説明】
【技術分野】
【０００１】
本発明は、スライド部材に対する押圧機構および空気供給装置に関する。
【背景技術】
【０００２】
空気供給装置の扉を閉鎖するための機構として、袋を膨らませて引き戸を壁に押し付けるもの（特許文献１）、空気圧により膨張・収縮するパッキングを設けるもの（特許文献２）、エアシリンダーを使用するもの（特許文献３）などがある。
【先行技術文献】
【特許文献】
【０００３】
【特許文献１】特開２００９−０８０７１９号公報
【特許文献２】特開２００９−１９５３４４号公報
【特許文献３】特開２０１３−１２１３９６号公報
【発明の概要】
【発明が解決しようとする課題】
【０００４】
本発明の目的は、簡易な構成でスライド部材を押圧することができるスライド部材に対する押圧機構および気体封入装置を提供することにある。
【課題を解決するための手段】
【０００５】
本発明の押圧機構は、
スライド部材と当接し、前記スライド部材のスライド方向からの力を利用して、前記スライド部材のスライド方向に対して前記スライド部材を垂直方向へ押圧するものである。
【０００６】
これによれば、簡易な構成によりスライド部材をスライド方向に対して垂直方向に押圧することができる。
【０００７】
本発明においては、
前記スライド部材は、気体封入装置を閉鎖するための扉とすることができる。
【０００８】
本発明において、
前記押圧機構は、
回動部材を含み、
前記回動部材は、前記スライド部材がスライドした際に当接する当接部を含み、
前記スライド部材がスライド方向に対して前記当接部に力を作用させると、前記回動部材が回動し、前記スライド部材のスライド方向に対して垂直方向に前記スライド部材を押圧することができる。
【０００９】
回動部材により、スライド方向への力をスライド方向に対して垂直方向への力に変換することができる。
【００１０】
本発明において、
前記回動部材が前記スライド部材を押圧する位置と前記回動部材の回動軸との距離は、前記回動部材と前記当接部との接触位置と前記回動部材の回動軸との間の距離よりも短くすることができる。
【００１１】
本発明によれば、回動軸を支点として、回動部材と当接部との接触点が力点となり、回動部材がスライド部材を押圧する点が作用点となり、てこの原理にてスライド部材を楽に押圧することができる。
【００１２】
本発明において、
本発明の押圧機構を含む気体封入装置であり、
前記気体封入装置は、人または動物が内部に入ることができる筐体と、
前記筐体に前記人または動物が出入できるように設けられた開口部とを含み、
前記スライド部材が前記開口部を閉鎖するための扉であることができる。
【００１３】
本発明において、
前記気体封入装置に気体を供給するためのポンプを含み、
前記ポンプの出力は、２０〜３００Ｗであることができる。
【００１４】
本発明の気体封入装置によれば、このような低出力のポンプも適用することができる。
【図面の簡単な説明】
【００１５】
【図１】実施の形態に係る押圧機構を模式的に示す図である。
【図２】実施の形態に係る押圧機構において、当接部が回動部材に接する前段階を模式的に示す斜視図である。
【図３】実施の形態に係る押圧機構において、当接部が回動部材に接する前段階を模式的に示す図である。
【図４】実施の形態に係る押圧機構において、当接部が回動部材に接する前段階を模式的に示す説明図である。
【図５】実施の形態に係る押圧機構において、当接部が回動部材に接し、押圧した段階を模式的に示す斜視図である。
【図６】実施の形態に係る押圧機構において、当接部が回動部材に接し、押圧した段階を模式的に示す図である。
【図７】実施の形態に係る押圧機構において、当接部が回動部材に接し、押圧した段階を模式的に示す説明図である。
【図８】実施の形態に係る押圧機構の押圧原理を説明するための図である。
【図９】実施の形態に係る押圧機構の押圧原理を説明するための図である。
【図１０】筐体とスライド部材との関係に基づき、実施の形態に係る押圧機構の作用効果を説明するための図である。
【図１１】実施の形態に係る気体封入装置の筐体を模式的に示す図である。
【図１２】実施の形態に係る気体封入装置における押圧機構を模式的に示す図である。
【図１３】スライド部材の当接部と、押圧機構の回動部材との平面的位置関係を模式的に示す図である。
【発明を実施するための形態】
【００１６】
以下、本発明の好適な実施の形態について図面を参照しながら説明する。
【００１７】
１．押圧機構
以下、図１〜図８を参照しながら、実施の形態に係る押圧機構１０を説明する。
【００１８】
実施の形態に係る押圧機構１０は、スライド部材３０と当接し、スライド部材３０のスライド方向からの力を利用して、スライド部材３０のスライド方向に対してスライド部材３０を垂直方向へ押圧するものである。
【００１９】
押圧機構１０は、回動部材１２を含む。回動部材１２は、スライド部材３０がスライドした際に当接する当接部１２ａを含み、スライド部材３０がスライド方向に対して当接部１２ａに力を作用させると、回動部材１２が回動し、スライド部材３０のスライド方向に対して垂直方向にスライド部材３０を押圧するものである。回動部材１２は、スライド部材３０を押圧する押圧部１２ａを含む。
【００２０】
スライド部材３０は、たとえば、スライドして開閉する開閉扉とすることができ、特に、気体封入装置４０を閉鎖するための扉に好適である。スライド部材３０は、回動部材１２を押し当てる押し当て部３２を含む。
【００２１】
図７に示すように、回動部材１２がスライド部材３０を押圧する位置Ｐ１と回動部材１２の回動軸１４Ｐ２との距離は、回動部材１２と当接部１２ａとの接触位置Ｐ３と回動部材１２の回動軸１４Ｐ２との間の距離よりも短くするとよい。これにより、てこの作用により、押圧力を容易に高めることができる。
【００２２】
筐体２０には、スライド部材３０の歯車が案内されるための案内路が設けられている。案内路には、歯車を回動部材１２に誘導するための案内スロープ１６が設けられている。このように案内スロープ１６を設けることで、案内スロープ１６に上がる前に、スライド部材３０が筐体２０や封止材に当たったり、こすれたりすることを防ぐことでき、スライド部材３０をスライドさせやすくすることができる。特に、筐体２０に封止材を装着した場合においてもその封止材の寿命も延ばすことができる。
【００２３】
本実施の形態に係る押圧機構１０によれば、簡易な構成で、スライド部材３０を押圧することができる。
【００２４】
２．動作
スライド部材３０をスライドさせることで、車輪３４がスロープ１６を上がり、図２〜図４に示される位置をとる。さらに、スライド部材３０をスライドすると、押し当て部３２の押し当て面３２ａが回動部材１２の当接部１２ａと当接し、回動部材１２を回動させる。図５〜図８に示すように、回動部材１２が回動すると、押出部１２ｂがスライド方向に対して垂直方向に車輪３４を押し出す。これにより、スライド部材３０のスライド方向の力を、スライド部材３０がスライド方向に対して垂直方向に押し出されるための力に変換される。つまり、図９に示すように、回動部材１２が回動することで、長さｈ１だけ押し当て部３２が押し出されることになる。
【００２５】
３．気体封入装置
気体封入装置４０は、図１１および図１２に示すように、筐体２０と、筐体２０の開口部２０ａを開閉するスライド扉とを含む。筐体２０は、内部に人または動物が入ることができる空間が設けられている。
【００２６】
気体封入装置４０は、実施の形態に係る押圧機構１０を含む。気体封入装置４０は、人または動物が内部に出入するための開口部２０ａを含む。スライド部材３０が気体封入装置４０の人または動物が出入する開口部２０ａを閉鎖するための扉であることができる。
【００２７】
気体封入装置４０において、スライド部材３０の押し当て部３２は、図１３に示すように、スライド部材３０の四隅に設けることができる。押圧機構１０の押圧部１２ａは、スライド扉を閉じたときに、押し当て部３２が回動部材１２に当接するように設けられていることができる。このようにすることで、スライド部材３０からなるスライド扉を均一に持ち上げることができる。
【００２８】
気体封入装置４０は、気体を供給するためのポンプ５０を含む。ポンプ５０の出力は、２０〜３００Ｗ、好ましくは４０〜２００Ｗとすることができる。気体封入装置４０は、必要に応じて、気体を排出する排出部を設けてもよい。
【００２９】
気体封入装置４０は、大気圧よりも高圧状態で空気を封入する装置として好適である。気体封入装置４０に入ることができる動物としては、特に限定されないが、犬、猫、うさぎなどを挙げることができる。
【００３０】
４．作用効果
気体封入装置４０の使用例の一例を説明する。気体封入装置４０は、開口部２０ａから内部に人または動物が入った後に、スライド扉を閉鎖し、密閉空間を確保し、ポンプ５０から気体（たとえば空気）を供給し、その空間内の圧力を上げて、人または動物の体の回復を促すために使用されるものである。
【００３１】
このような気体封入装置４０において、本願発明者は、次の課題を発見した。
気体封入装置４０の内部空間を閉鎖するためには、スライド部材３０と筐体２０との間の隙間をいかになくすかが重要となる。隙間が大きいと、気体が漏れて、その閉鎖空間の圧力が上昇しない。また、隙間が不安定だと、経年劣化の進行が早く、隙間が広がり、圧力が上がらなくなるなどの問題や、メンテナンス上の問題も発生するという課題がある。
【００３２】
本願発明者は、隙間の発生や耐久性が高い気体封入装置４０の実現のために、本実施の形態に係る気体封入装置４０を見出した。
【００３３】
つまり、スライド部材３０と筐体２０との間に、多少のゆがみがあっても、スライド部材３０と筐体２０との間にシール部材２２を設け、スライド部材３０を押圧することで、隙間を埋めることができる。図１０に示すように、押圧機構１０がスライド部材３０を押し出し（押し上げ）て、スライド部材３０と筐体２０との隙間をなくすことができる。
【００３４】
これにより次の効果を奏することができる。
（１）筐体２０やスライド部材３０に歪みが生じていても、その隙間の違いをシール部材２２で吸収することができ、スライド部材３０や筐体２０の形状を厳密に対応させる必要はない。このため、加工費用などのコストを安くすることができる。スライド部材３０や筐体２０をたとえば金属の板金加工品により構成することができる。
【００３５】
（２）多少の隙間が生じた場合でも、大きくハイパワーのポンプを使用すれば、漏れる量以上に空気が入るので圧力は上がる。ハイパワーのポンプの問題は、価格が高い、騒音が大きくなる、制御にトラブルが発生した場合カプセル内の圧力が上昇しすぎるので危険になる可能性がある。本実施の形態に係る気体封入装置４０によれば、密閉性が高いため、小さいポンプを適用することができる。小さい出力のポンプを適用することができるため、ゆっくり気圧を上げられるため、内部空間に入った人または動物において、耳が痛くなることを抑えることができる。さらに、安全装置が不要か、簡易な安全装置で足りる。
【００３６】
（３）簡易な構成であり、構成要素の消耗等により破損も生じにくい。このため、メンテナンスの回数も減らすことができる。
【００３７】
（４）気体封入装置に通常適用されるポンプは、４００Ｗ以上のものが一般的である。このようなポンプを適用する場合に、消費電力量が大きく、電気代の関係からランニングコストが大きい。また、ブレーカーの契約容量も大きなものとする必要があり、ブレーカーの契約容量は、気体封入装置を複数台稼働するような酸素カプセルサービスを行うような業務施設では特に顕著な問題である。さらに、ポンプの出力が大きいと騒音や振動も大きなものになる。
【００３８】
しかし、ポンプの出力が２０〜３００Ｗのもの、好ましくは４０〜２００Ｗであるポンプを適用することで、消費電力を抑えることができ、ランニングコストを安くすることができると共に、騒音や振動も抑えることができる。このようなことから、ポンプの出力が２０〜３００Ｗのものを気体封入装置に適用して構成した場合には、その気体封入装置４０を家庭においても使用することができる。また、家庭の用途のみではなく、業務用として、本実施の形態に係る気体封入装置４０を複数台稼働させても、ブレーカーの契約容量を抑えることができるという利点もある。
【００３９】
さらに、ポンプの出力が小さいことで、自動車のシガーソケットから電力をとって気体封入装置４０を稼働させることも容易となる。本願発明者は、ポンプの出力が８０Ｗのポンプを用いた気体封入装置４０を、車のシガーソケットから電力を取って、稼働させることができることを確認した。
【００４０】
本実施の形態は、本発明の範囲内において種々の変形が可能である。
【符号の説明】
【００４１】
１０  押圧機構
１２  回動部材
１２ａ  当接部
１２ｂ  押出部
１４  回動軸
１６  スロープ
２０  筐体
２２  シール部材
３０  スライド部材
３２  押し当て部
３４  車輪
４０  気体封入装置
５０  ポンプ
【図１】
2020203020.tif 000003
【図２】
2020203020.tif 000004
【図３】
2020203020.tif 000005
【図４】
2020203020.tif 000006
【図５】
2020203020.tif 000007
【図６】
2020203020.tif 000008
【図７】
2020203020.tif 000009
【図８】
2020203020.tif 000010
【図９】
2020203020.tif 000011
【図１０】
2020203020.tif 000012
【図１１】
2020203020.tif 000013
【図１２】
2020203020.tif 000014
【図１３】
2020203020.tif 000015
【手続補正書】
【提出日】令和2年10月1日(2020.10.1)
【手続補正１】
【補正対象書類名】特許請求の範囲
【補正対象項目名】全文
【補正方法】変更
【補正の内容】
【特許請求の範囲】
【請求項１】
スライド部材と当接し、前記スライド部材のスライド方向からの力を利用して、前記スライド部材のスライド方向に対して垂直方向の力の成分を伴って前記スライド部材を押圧する押圧機構であり、
前記押圧機構は、
回動部材を含み、
前記回動部材は、前記スライド部材がスライドした際に当接する当接部を含み、
前記スライド部材がスライド方向に対して前記当接部に力を作用させると、前記回動部材が回動し、前記スライド部材を押圧し、
前記回動部材が前記スライド部材を押圧する位置と前記回動部材の回動軸との距離は、前記回動部材と前記当接部との接触位置と前記回動部材の回動軸との間の距離よりも短い、押圧機構。
【請求項２】
請求項１において、
前記スライド部材は、気体封入装置を閉鎖するための扉である押圧機構。
【請求項３】
請求項１または２において、
前記回動部材は、てこの作用により前記スライド部材を押圧する押圧機構。
【請求項４】
請求項１〜３のいずれかに記載の押圧機構を含む気体封入装置であり、
前記気体封入装置は、人または動物が内部に入ることができる筐体と、
前記筐体に前記人または動物が出入できるように設けられた開口部とを含み、
前記スライド部材が前記開口部を閉鎖するための扉である気体封入装置。
【請求項５】
請求項４において、
前記気体封入装置に気体を供給するためのポンプを含み、
前記ポンプの出力は、２０〜３００Ｗである気体封入装置。
【手続補正２】
【補正対象書類名】明細書
【補正対象項目名】０００５
【補正方法】変更
【補正の内容】
【０００５】
本発明の押圧機構は、
スライド部材と当接し、前記スライド部材のスライド方向からの力を利用して、前記スライド部材のスライド方向に対して垂直方向の力の成分を伴って前記スライド部材を押圧するものである。
【手続補正３】
【補正対象書類名】明細書
【補正対象項目名】０００６
【補正方法】変更
【補正の内容】
【０００６】
これによれば、簡易な構成によりスライド部材をスライド方向に対して垂直方向の力の成分を伴って押圧することができる。
【手続補正４】
【補正対象書類名】明細書
【補正対象項目名】０００８
【補正方法】変更
【補正の内容】
【０００８】
本発明において、
前記押圧機構は、
回動部材を含み、
前記回動部材は、前記スライド部材がスライドした際に当接する当接部を含み、
前記スライド部材がスライド方向に対して前記当接部に力を作用させると、前記回動部材が回動し、前記スライド部材のスライド方向に対して垂直方向の力の成分を伴って前記スライド部材を押圧するものとすることができる。
【手続補正５】
【補正対象書類名】明細書
【補正対象項目名】０００９
【補正方法】変更
【補正の内容】
【０００９】
回動部材により、スライド方向への力をスライド方向に対して垂直方向への力の成分に変換することができる。
【手続補正６】
【補正対象書類名】明細書
【補正対象項目名】００１８
【補正方法】変更
【補正の内容】
【００１８】
実施の形態に係る押圧機構１０は、スライド部材３０と当接し、スライド部材３０のスライド方向からの力を利用して、スライド部材３０のスライド方向に対してスライド部材３０を垂直方向の力の成分を伴って押圧するものである。
【手続補正７】
【補正対象書類名】明細書
【補正対象項目名】００１９
【補正方法】変更
【補正の内容】
【００１９】
押圧機構１０は、回動部材１２を含む。回動部材１２は、スライド部材３０がスライドした際に当接する当接部１２ａを含み、スライド部材３０がスライド方向に対して当接部１２ａに力を作用させると、回動部材１２が回動し、スライド部材３０のスライド方向に対して垂直方向の力の成分を伴ってスライド部材３０を押圧するものである。回動部材１２は、スライド部材３０を押圧する押圧部１２ａを含む。
【手続補正８】
【補正対象書類名】明細書
【補正対象項目名】００２１
【補正方法】変更
【補正の内容】
【００２１】
図７に示すように、回動部材１２がスライド部材３０を押圧する位置Ｐ１と回動部材１２の回動軸Ｐ２との距離は、回動部材１２と当接部１２ａとの接触位置Ｐ３と回動部材１２の回動軸Ｐ２との間の距離よりも短くするとよい。これにより、てこの作用により、押圧力を容易に高めることができる。
【手続補正９】
【補正対象書類名】明細書
【補正対象項目名】００２４
【補正方法】変更
【補正の内容】
【００２４】
２．動作
スライド部材３０をスライドさせることで、車輪３４がスロープ１６を上がり、図２〜図４に示される位置をとる。さらに、スライド部材３０をスライドすると、押し当て部３２の押し当て面３２ａが回動部材１２の当接部１２ａと当接し、回動部材１２を回動させる。図５〜図８に示すように、回動部材１２が回動すると、押出部１２ｂが回動部材１２の回動方向に車輪３４を押し出す。これにより、スライド部材３０のスライド方向の力を、スライド部材３０がスライド方向に対して垂直方向に押し出されるための力の成分に変換される。つまり、図９に示すように、回動部材１２が回動することで、長さｈ１だけ押し当て部３２が押し出されることになる。
【手続補正１０】
【補正対象書類名】図面
【補正対象項目名】図７
【補正方法】変更
【補正の内容】
【図７】
2020203020.tif 000016